(57)【特許請求の範囲】
【請求項１】
被写体像を画像信号に変換する撮像手段と、単数の被写体に装着した赤外光発信器からの赤外光により前記被写体の位置を検出する位置検出手段と、前記位置検出手段で検出した前記被写体の位置も表示可能なファインダ部と、前記ファインダ部の表示を制御する制御手段とを有する撮像装置であって、
前記制御手段は、前記被写体が前記撮像手段の撮影画角内に入っていると判定したときは、前記ファインダ部に前記被写体の位置を示す表示を行い、入っていないと判定したときは、前記ファインダ部に前記被写体の存在する方向を示す表示を行うことを特徴とする撮像装置。
【発明の詳細な説明】
【０００１】
【発明の属する技術分野】
本発明は、被写体に赤外光発信器を装着し、その赤外光を検出し、被写体の位置の検出を行うビデオカメラ等の撮像装置に関する。
【０００２】
【従来の技術】
図１３は、従来のカムコーダの一例の回路構成ブロックを説明するための図であり、同図において、４２１１はカメラの撮像部、４２１２は、撮像部４２１１からのアナログ信号をデジタル信号に変換するＡ／Ｄ変換回路、４２１３は、Ａ／Ｄ変換回路４２１２のデジタル信号を処理するカメラ信号処理回路、４２１４は、この信号処理回路４２１３からのデジタル信号をアナログ信号に戻すＤ／Ａ変換回路、４２１８は、信号処理回路４２１３からのデジタル信号を取り込み、様々な特殊効果に加工するためのデジタル特殊効果回路、４２１７は、信号処理回路４２１３と特殊効果回路４２１８を制御するマイクロコンピュータ（以下、“マイコン”と略す）である。
【０００３】
４２１６は、カメラ部の操作キーで、マイコン４２１７がその情報を読み取る。４２２０もマイコンであり、主にＶＴＲ全体のシステムコントロールを行う。マイコン４２２０は、マイコン４２１７と通信を行っている。４２１９は、ＶＴＲ部の操作キーで、マイコン４２２０がその情報を読み取る。
【０００４】
４２１５はビューファインダで、撮像部４２１１で撮像した画像を不図示の観察者が観察することが可能である。４２２２はＶＴＲのメカ部、４２２１は、ＶＴＲメカ４２２２を制御するマイコンで、マイコン４２２０と通信を行っている。また４２２３はレコーダ信号処理回路で、Ｄ／Ａ変換回路４２１４からのアナログ信号を処理し、電磁変換ブロック４２２４を経て、記録媒体（カセットテープ）４２２５に記録させる。記録媒体４２２５は、ＶＴＲのメカ部４２２２によって駆動される。
【０００５】
【発明が解決しようとする課題】
以上のような、従来の撮像装置において、例えば運動会等、同じような服装で大勢の人が居る中で、自分の子供を撮りたい、といった特定の被写体を狙うことは実際は難しく、撮像装置ではなく、撮影者の熟練に負うところが多かった。
【０００６】
つまり、特定の被写体を撮像装置本体が認識し、その特定の被写体の位置を表示するようなことができないという問題点があった。
【０００７】
本発明は、以上のような局面にかんがみてなされたもので、識別し難い特別の被写体を、撮影者の熟練に依存することなく、撮像装置本体により狙うことのできる撮像装置の提供を目的としている。
【０００８】
【課題を解決するための手段】
上記目的を達成するために、本発明に係る撮像装置は、被写体像を画像信号に変換する撮像手段と、単数の被写体に装着した赤外光発信器からの赤外光により前記被写体の位置を検出する位置検出手段と、前記位置検出手段で検出した前記被写体の位置も表示可能なファインダ部と、前記ファインダ部の表示を制御する制御手段とを有する撮像装置であって、前記制御手段は、前記被写体が前記撮像手段の撮影画角内に入っていると判定したときは、前記ファインダ部に前記被写体の位置を示す表示を行い、入っていないと判定したときは、前記ファインダ部に前記被写体の存在する方向を示す表示を行うことを特徴とする。
【０００９】
【発明の実施の形態】
以下に本発明の実施の形態を、複数の実施例に基づいて説明する。
【００１０】
【実施例】
（第１実施例）
図１は、実施例の概略システムを示す図で、１は特定の被写体で、不図示の撮影者が、意図して特定を行いたい被写体である。２はビデオカメラ本体、３は赤外光発信器で、特定の被写体１に取り付ける。ビデオカメラ本体２は、カメラ部（撮像部）２ａの他に、赤外光発信器３からの赤外光を受光するセンサ部２ｂを有し、赤外光発信器３の位置を検出し、ファインダ部２ｃに表示を行う。
【００１１】
図２は、本発明に係る第１実施例の撮像装置の構成を示すブロック図で、１１００はセンサユニットである。１０は赤外光発信器、１２は赤外発光ダイオード等の赤外光発光素子で、駆動回路１１により発光する。赤外光発信器１０からの赤外光は、センサ部１１０１により検出し、１１０２は、センサ部１１０１からのアナログ信号をデジタル信号に変換するＡ／Ｄ変換回路である。１１０３は、Ａ／Ｄ変換回路１１０２のデジタル信号を処理するセンサ信号処理回路である。追尾回路１１０４により赤外光発信器１０の位置を判別し、表示回路１１０５によりファインダ部１２１５へ赤外光発信器１０の位置すなわち、被写体１の位置の表示を行う。追尾回路１１０４には、撮像部（カメラ部）１２１１よりレンズの焦点距離情報が通信されている。
【００１２】
図３は、本第１実施例のファインダ表示の説明図で、（ａ）図の２０１はファインダ表示部で、撮像部１２１１により撮影した映像を表示し、観察者は観察可能なものである。２１１はセンサ部の検出領域を示し、その検出領域は、撮像部１２２１による撮像領域より広い範囲を検出領域とする。１は特定の被写体で、赤外光発信器３を付けている。この時、特定の被写体１は、撮像部１２１１の撮像領域の外に居るので、観察者はファインダ表示部２０１で特定の被写体１を確認することはできない。
【００１３】
しかしこの時センサ部１１０１の検出領域で被写体１を捕らえているので、ファインダ表示部２０１に、特定の被写体方向表示２０１ａを表示させ、特定の被写体１の位置方向を観察者に知らせる。本実施例によりセンサ部１１０１の検出領域は、撮像部１２１１による撮像領域より広い範囲を検出領域とするため、観察者は、ファインダから目を離すことなく、撮像領域外の特定の被写体１の位置方向も知ることが可能となり非常に操作性の良い撮像装置となる。
【００１４】
（ｂ）図は、（ａ）図で示された方向に、撮像装置をパンニングし特定の被写体１を撮像部１２１１の撮像領域内に捕らえたところを表す。この時、被写体方向表示は２０１ｂのように変わり、特定の被写体１の位置を示す。
【００１５】
以上説明したように、特定の被写体１を撮像装置本体が認識し、その特定の被写体１の位置を表示することが可能となり、従来の撮像装置において、例えば運動会等、同じような服装で大勢の人が居る中で、自分の子供を撮りたい、といった特定の被写体１を狙うことが難しかったのに対し、撮影者の熟練に負うことなしに、撮像装置本体により行えるため、極めて操作性の良い撮像装置を提供することができる。
【００１６】
また、本第１実施例により、特定の被写体がカメラ部の撮像領域内にあるかないかをファインダ表示を変えることにより、明確に特定の被写体位置を撮影者に知らせる。従来の撮像装置において、前記運動会の場合などに特定の被写体を狙うことが難しかったのに対し、撮影者の熟練に負うことなく、撮像装置本体により行えるため、極めて操作性の良い撮像装置を提供できる。
【００１７】
図４は、本第１実施例の動作シーケンスを示すフローチャートである。まず、ステップＳ１０１で電源が投入される。ステップＳ１０２に進んで図２のセンサ部１１０１で赤外光発信器１０の赤外光を検出する。赤外光発信器１０の赤外光が検出されなければ、ステップＳ１０５に進み、追尾回路１１０４からの制御信号により、表示回路１１０５はファインダ部１２１５には表示を行わない。
【００１８】
赤外光が検出されたならステップＳ１０３に進み、追尾回路１１０４により撮像部の撮影領域に入っているならば、ステップＳ１０４に進み、追尾回路１１０４からの制御信号により表示回路１１０５は、ファインダ画面に「位置表示」を行う。撮像部の撮影領域に入っていないならば、ステップＳ１０６に進み、追尾回路１１０４からの制御信号により、表示回路１１０５はファインダ画面に「方向表示」を行う。
【００１９】
図５は、本第１実施例の撮像部の構成図である。１２５０はレンズ部で、不図示の被写体を結像する。１２６０は撮像素子で、レンズ部１２５０から入射した光信号を電気信号に変換（光電変換）する。レンズ部１２５０において、１２５１ａは防振光学素子、１２５１ｂは、防振光学素子の位置を検出するセンサ、１２５１ｃは、防振光学素子を動かすアクチュエータである。１２５２ａは、焦点距離を変える変倍レンズ、１２５２ｂはセンサで、変倍レンズ１２５２ａの位置を検出する。１２５２ｃはアクチュエータで、変倍レンズ１２５２ａを動かす。
【００２０】
１２５３ａは、露出を制御するアイリス、１２５３ｂはセンサで、アイリス１２５３ａの位置を検出する。１２５３ｃはアクチュエータで、アイリス１２５３ａを動かす。１２５４ａはピントを合わせるフォーカスレンズ、１２５４ｂはセンサで、フォーカスレンズ１２５４ａの位置を検出する。１２５４ｃはアクチュエータで、フォーカスレンズ１２５４ａを動かす。各センサ１２５１ｂ，１２５２ｂ，１２５３ｂ，１２５４ｂより、レンズ情報が出力される。
【００２１】
図６は、本第１実施例のセンサ部の構成図である。１２７０はレンズ部で、不図示の赤外光発信器より発光される赤外光を結像する。１２８０は赤外光検出素子で、レンズ部１２７０から入射した赤外光信号を電気信号に変換（光電変換）する。赤外光検出素子１２８０は、赤外領域に感度のあるエリア型の撮像素子であるＣＣＤやＢＡＳＩＳ等が適している。
【００２２】
図７は、本第１実施例の撮像部のレンズと、センサ部のレンズのそれぞれの画角を示す図である。３０１は、撮像部のレンズの広角側の画角、３０２は、撮像部のレンズの望遠側の画角であり、図５に示す変倍レンズ１２５２ａにより広角側の画角３０１から、望遠側の画角３０２まで可変である。３０３は、センサ部のレンズの画角である。このように、センサ部の画角３０３は、撮像部の画角３０１より大きく設定されている。
【００２３】
よって図のように、赤外光発信器３を付けている特定の被写体１が、撮像部の画角から外れている場合、不図示の撮像装置の撮影者は、ファインダで特定の被写体１が見えなかったとしても、センサ部により赤外光発信器３の赤外光を捕らえているので、どの方向に特定の被写体１が位置しているのかを、ファインダの方向表示により確認することが可能である。
【００２４】
（第２実施例）
図８は、本発明に係る第２実施例の複数の赤外光発信器を装着した特定の被写体の説明図である。（ａ）図は上面図、（ｂ）図は正面図、（ｃ）は側面図である。４０１は特定の被写体で、４０３ａ，４０３ｂは各赤外光発信器である。図のように特定の被写体４０１の両肩に、それぞれ４０３ａ，４０３ｂの各赤外光発信器を取り付ける。このような構成により、不図示の撮像装置本体側から見たときの方向を示す矢印４３０ａ，４３０ｂ，４３０ｃ，４３０ｄ，４３０ｅ，４３０ｆ，４３０ｇ，４３０ｈのどの方向からでもいずれかの赤外光発信器を、不図示の撮像装置本体側により検出可能である。
【００２５】
以上説明した構成により、ファインダ部にて、図８のように、不図示の観察者は撮像部により撮影している画像を確認しながら、従来のカムコーダであるならば視野外である画像を、センサ部による画像により観察可能となり、従来の撮像装置において、例えば運動会等、同じような服装で大勢の人が居る中で、自分の子供を撮りたい、といった特定の被写体を狙うことが難しかったのに対し、撮影者の熟練に負うことなく、撮像装置本体により行えるため、極めて操作性の良い撮像装置を提供することができる。
【００２６】
また、複数の赤外光発信器を単数の特定の被写体に装着することにより、どの角度からでも特定の被写体の確認が可能となる。
【００２７】
（第３実施例）
図９は、本発明に係る第３実施例の赤外光発信器の説明図である。６１０は、本発明に係る赤外光発信器、６１２ａ，６１２ｂ，６１２ｃ，６１２ｄは、それぞれ赤外発光ダイオード等の各赤外発光素子で、駆動回路６１１により発光する。このような構成により、赤外光は、赤外光発信器６１０より大略３６０度方向に発光される。よって、不図示の撮像装置本体側から見たときの方向を示す矢印６３０ａ，６３０ｂ，６３０ｃ，６３０ｄ，６３０ｅ，６３０ｆ，６３０ｇ，６３０ｈのどの方向からでもいずれかの赤外光発信器を、不図示の撮像装置本体側により検出可能である。
【００２８】
図１０は、本発明の第３実施例の複数の赤外光発信機を装着した特定の被写体の説明図である。（ａ）図は上面図、（ｂ）図は正面図、（ｃ）は側面図である。６０１は特定の被写体で、６１０は赤外光発信器である。図のように特定の被写体の頭部に、赤外光発信器６１０を取り付ける。このような構成により、不図示の撮像装置本体側から見たときの方向を示す矢印６３０ａ，６３０ｂ，６３０ｃ，６３０ｄ，６３０ｅ，６３０ｆ，６３０ｇ，６３０ｈのいずれの方向からでも、赤外光発信器６１０を、不図示の撮像装置本体側により検出可能である。  なお、赤外光の発光は、一度に６１２ａ，６１２ｂ，６１２ｃ，６１２ｄ全ての赤外発光素子を発光させるだけではなく、それぞれ、順番にあるいは、ランダムに発光させると、赤外光発信器の省電力化に寄与することができる。
【００２９】
以上説明した構成により、ファインダ部にて、図９のように、不図示の観察者は撮像部により撮影している画像を確認しながら、従来のカムコーダであるならば視野外である画像を、センサ部による画像により観察可能となり、従来の撮像装置において、例えば運動会等で前記のような特定の被写体を狙うことが難しかったのに対し、撮影者の熟練に負うことなく、撮像装置本体により行えるため、極めて操作性の良い撮像装置を提供することができる。
【００３０】
また、大略３６０度方向に赤外光を発光する赤外光発信器により、いずれの角度からでも特定の被写体の確認が可能となる。
【００３１】
（第４実施例）
図１１は、本発明に係る第４実施例の撮像装置の構成を示すブロック図で、１１００ｂはセンサユニットである。７１０は赤外光発信器、７１２は赤外発光ダイオード等の赤外発光素子で、駆動回路７１１により発光する。７１３は集音マイク、７１５は、集音マイク７１３で集音した音声信号を変調する変調回路、７１４は赤外光信号切替回路で、位置検出用の信号と音声用の信号との切替を行う。
【００３２】
赤外光発信器７１０から、赤外光信号切替回路７１４により位置検出用の赤外光が発光している時、センサ部１１０１により検出する。１１０２は、センサ部１１０１からのアナログ信号をデジタル信号に変換するＡ／Ｄ変換回路である。１１４０は信号識別回路で、位置検出用の信号を検出し、センサ信号処理回路１１０３に信号は送られる。センサ信号処理回路１１０３は、Ａ／Ｄ変換回路１１０２のデジタル信号を処理するセンサ信号処理回路である。追尾回路１１０４により赤外光発信器１０の位置を判別し、表示回路１１０５により、ファインダ部１２１５へ赤外光発信器１０の位置すなわち、被写体の位置の表示を行う。追尾回路１１０４には、撮像部１２１１よりレンズの焦点距離情報が通信されている。
【００３３】
一方、赤外光発信器７１０から、赤外光信号切替回路７１４により集音マイクで集音した音声信号の赤外光が発光している時、センサ部１１０１により検出する。Ａ／Ｄ変換回路１１０２はセンサ部１１０１からのアナログ信号をデジタル信号に変換する。１１４０は信号識別回路で、赤外光発信器７１２の変調回路７１５で変調された音声信号を検出し、復調回路１２４０へ送る。復調回路１２４０は、変調された音声信号を復調し、レコーダ信号処理回路に送り、画像信号と共に電磁変換回路１２２４で、電磁変換され記録媒体１２２５に記録される。
【００３４】
図１２は、本第４実施例に係る撮像装置の動作シーケンスを示すフローチャートである。まず、ステップＳ３０１で電源が投入される。ステップＳ３０２に進んで図１１のセンサ部１１０１で赤外光発信器７１０の赤外光を検出する。赤外光発信器７１０の赤外光が検出されなければ、ステップＳ３０６に進み、追尾回路１１０４からの制御信号により、表示回路１１０５は、ファインダ部１２１５には表示を行わない。
【００３５】
赤外光が検出されたならステップＳ３０３に進み、図１１の信号識別回路１１４０により赤外光の位置検出用の信号と、リモコン用の信号との識別を行う。赤外光信号が位置検出信号の時はステップＳ３０４に進み、追尾回路１１０４により撮像部の撮影領域に入っているならば、ステップＳ３０５に進み、追尾回路１１０４からの制御信号により、表示回路１１０５はファインダ画面に「位置表示」を行う。撮像部の撮影領域に入っていないならば、ステップＳ３０７に進み、追尾回路１１０４からの制御信号により表示回路１１０５は、ファインダ画面に「方向表示」を行う。一方、ステップＳ３０３により、変調された音声信号と識別された時は、ステップＳ３０８に進み、図１１の復調回路１２４０により音声信号に復調され、ステップＳ３０９に進みレコーダ記録実行がなされる。
【００３６】
以上説明したように、特定の被写体を撮像装置本体が認識し、その特定の被写体の位置を表示することが可能となり、従来の撮像装置において、例えば運動会等、同じような服装で大勢の人が居る中で、自分の子供を撮りたい、といった特定の被写体を狙うことが難しかったのに対し、撮影者の熟練に負うことなく、撮像装置本体により行えるため、極めて操作性の良い撮像装置を提供可能となる。また上述した構成によって、一つの赤外光発信器により、特定の被写体の位置検出と、特定の被写体の周囲の音声を集音し撮像装置本体で記録が可能となるため、利便性が大きい極めて操作性の良い撮像装置を提供可能となる。
【００３７】
【発明の効果】
以上説明したように、本発明によれば、特定の被写体の位置をファインダ部に表示することが可能となり、例えば運動会等、同じような服装で大勢の人がいる中で、自分の子供を撮りたい、といった特定の被写体を狙うことが可能となる。
【００３８】
また、本発明によれば、観察者は、ファインダ部から目を離すことなく、撮像領域外の特定の被写体の位置方向も知ることが可能となる。
【図面の簡単な説明】
【図１】第１実施例の概略システム図
【図２】第１実施例の撮像装置の構成ブロック図
【図３】第１実施例のファインダ表示例
【図４】第１実施例の動作シーケンスフローチャート
【図５】第１実施例の撮像部の構成図
【図６】第１実施例のセンサ部の構成図
【図７】第１実施例の撮像部／センサ部の各レンズの画角
【図８】第２実施例の特定被写体の説明図
【図９】第３実施例の赤外光発信器の説明図
【図１０】第３実施例の特定被写体の説明図
【図１１】第４実施例の撮像装置の構成ブロック図
【図１２】第４実施例の動作シーケンスフローチャート
【図１３】従来のカムコーダの一例の回路構成を示すブロック図
【符号の説明】
１，４０１，６０１  特定被写体
２  ビデオカメラ本体
２ａ  カメラ部（撮像部）
２ｂ  センサ部
２ｃ  ファインダ部
３，１０，４０３ａ，４０３ｂ，５１０，６１０，７１０  赤外光発信器
２０１  ファインダ表示部
１１００，１１００ａ，１１００ｂ  センサユニット
１１０１  センサ部
１２１１  撮像部
１２１２  Ａ／Ｄ変換回路
１２１３  カメラ信号処理回路
１２１４  Ｄ／Ａ変換回路
１２１５  ファインダ部
１２１６  カメラ操作キー
１２１７，１２２０，１２２１  マイコン
１２１８  デジタル特殊効果回路
１２１９  ＶＴＲ操作キー
１２２２  ＶＴＲメカ
１２２３  レコーダ信号処理回路
１２２４  電磁変換回路
１２２５  記録媒体
１２２６  電源スイッチ
【図１】
0003624029.tif 000002
【図２】
0003624029.tif 000003
【図３】
0003624029.tif 000004
【図４】
0003624029.tif 000005
【図５】
0003624029.tif 000006
【図６】
0003624029.tif 000007
【図７】
0003624029.tif 000008
【図８】
0003624029.tif 000009
【図９】
0003624029.tif 000010
【図１０】
0003624029.tif 000011
【図１１】
0003624029.tif 000012
【図１２】
0003624029.tif 000013
【図１３】
0003624029.tif 000014